(57)【特許請求の範囲】
【請求項１】
収納ケースの上側開口部を通して脱着自在に装着される上側開口の容器に、これの開口端部に対して脱着自在に嵌合装着可能で、且つその嵌合装着時に容器内に装着された収納袋の開口周縁部分を該容器の外面に沿って折り返された状態に維持する環状又は略環状の装着枠体が設けられているとともに、前記装着枠体には、把持可能な姿勢と非把持姿勢とに切換自在な把持部材と、該把持部材の把持姿勢への切換に連動して前記容器と装着枠体と係合連結し、且つ前記把持部材の非把持姿勢への切換に連動して前記容器と装着枠体との係合連結を解除する連動連結手段が設けられ、前記連動連結手段が、前記把持部材に設けられた係止部としての爪と前記容器に設けられた被係止部とから構成され、前記把持部材の把持姿勢への切換に連動して前記把持部材の爪が前記容器の被係止部に引っ掛かって前記容器を把持姿勢の把持部材で吊下げ支持可能に構成されている収納箱。
【請求項２】
前記把持部材が、前記装着枠体の中心位置を挟んで相対向する部位に起伏揺動自在に枢着された把手から構成され、前記連動連結手段が、前記把手の把持姿勢への切換に連動して前記容器と装着枠体と係合連結し、且つ前記把手の非把持姿勢への切換に連動して前記容器と装着枠体との係合連結を解除するように構成されている請求項１記載の収納箱。
【請求項３】
前記把持部材が、前記装着枠体に枢着された該装着枠体の開口を開閉する蓋体から構成され、前記連動連結手段が、前記蓋体の把持姿勢である開き姿勢への切換に連動して前記容器と装着枠体と係合連結し、且つ前記蓋体の非把持姿勢である閉じ姿勢への切換に連動して前記容器と装着枠体との係合連結を解除するように構成されている請求項１記載の収納箱。
【請求項４】
前記装着枠体が、容器の内周面に沿って入り込む内側環状枠板と、容器の外周面に沿って外套される外側環状枠板とを備え、前記両環状枠板間には、前記把持部材を非把持姿勢で収納する凹部が形成されている請求項１又は２記載の収納箱。
【請求項５】
前記装着枠体の外側環状枠板には、前記収納ケースの内面と容器の外面との間に入り込むことにより、前記容器に装着された収納袋の開口周縁部分を容器の外面に沿って折り返し状態で押え付ける筒状の袋押え板部が形成され、この袋押え板部の各角部側壁部の最大上下幅が、角部側壁部の隣接間の中間壁部の上下幅よりも大に構成されている請求項１〜４のいずれか１項に記載の収納箱。
【発明の詳細な説明】
【技術分野】
【０００１】
本発明は、トイレや厨房などに設置される汚物入れやゴミ箱等の収納箱で、詳しくは、収納ケースに形成された上側開口部を通して上側開口の容器が脱着自在に装着されている収納箱に関する。
【背景技術】
【０００２】
従来の収納箱では、収納ケース内に、一対の吊下げ用把手を備えた上側開口の容器が脱着自在に載置され、前記収納ケースの上端開口部には、収納された容器に対する投入口を備えた箱蓋が脱着自在に設けられているとともに、前記箱蓋には、投入口を閉止する投入蓋が脱着自在に設けられている（例えば、特許文献１参照）。
【０００３】
【特許文献１】実用新案登録第３１３１４３５号公報
【発明の開示】
【発明が解決しようとする課題】
【０００４】
上述の従来構造では、使用時に、前記容器の内面に沿って合成樹脂製の収納袋を装着し、その収納袋の開口周縁部分を容器の外面に沿って折り返す方法が採られているが、これによる場合は、投入物による容器の汚れを回避することができるものの、断面略Ｕ字状に折り返された収納袋の開口周縁部分で一対の吊下げ用把手も同時に覆われるため、収納袋の装着後では吊下げ用把手を実質的に使用することができなくなり、その結果、収納ケース内に容器を装着する場合、或いは収納ケース内から容器を取り出す場合には、収納袋の開口周縁部分を介して容器の開口周縁を把持し、その状態で収納ケースの上側開口を通して差し入れ操作又は抜き出し操作しなければならず、容器の脱着時の取り扱いが不便であるとともに、特に、収納袋の開口周縁部分が投入物と接触している場合には手が汚れる不都合がある。
【０００５】
また、前記容器に装着された収納袋の開口周縁部分は、容器の上側開口端部に沿って断面略Ｕ字状に折り返されているだけであるため、投入物との接触によって収納袋が容器内にずり落ちる可能性があるとともに、収納袋の開口周縁部分が容器外方に脹れて収納ケースの上側開口周縁に引っ掛かり易く、容器の装着に手間取る要因の一つになっている。特に、引っ掛かった収納袋の開口周縁部分が部分的に容器から外れた場合には、容器を一旦抜き出して収納袋の装着状態を修正する必要がある。
【０００６】
本発明は、上述の実状に鑑みて為されたものであって、その主たる課題は、収納袋を装着してある容器の脱着操作を、収納ケースの上側開口周縁に引っ掛かることの少ない状態で迅速・容易に行うことのできる使い勝手の良い収納箱を提供する点にある。
【課題を解決するための手段】
【０００７】
収納箱において、収納ケースの上側開口部を通して脱着自在に装着される上側開口の容器に、これの開口端部に対して脱着自在に嵌合装着可能で、且つその嵌合装着時に容器内に装着された収納袋の開口周縁部分を該容器の外面に沿って折り返された状態に維持する環状又は略環状の装着枠体が設けられているとともに、前記装着枠体には、把持可能な姿勢と非把持姿勢とに切換自在な把持部材と、該把持部材の把持姿勢への切換に連動して前記容器と装着枠体と係合連結し、前記把持部材の非把持姿勢への切換に連動して前記容器と装着枠体との係合連結を解除する連動連結手段が設けられていてもよい。
【０００８】
上記構成によれば、容器内に装着された収納袋の開口周縁部分を該容器の上側開口端部に沿って断面略Ｕ字状に折り返し、この状態で容器の開口端部に対して環状又は略環状の装着枠体を嵌合装着することにより、収納袋が容器内にずり落ちたり、収納袋の開口周縁部分が容器外方に脹れ出すことを抑制することができる。
【０００９】
しかも、容器の上側開口端部に装着枠体を嵌合装着した状態で、この装着枠体に設けられている把持部材を非把持姿勢から把持姿勢に切換操作すると、この切換操作に連動する連動連結手段により容器と装着枠体とが係合連結されるので、収納ケースの上側開口部に対して、把持姿勢にある把持部材を把持して容器と装着枠体とを一体化状態で出し入れすることができる。
それ故に、容器を保持しながら装着枠体が脱落しないように押え付ける必要がなく、さらに、容器から突出する把持姿勢にある把持部材を把持して操作するので、収納ケースの上側開口部における内面と容器の上側開口端部における外面との間の環状間隙が小さい場合でも、容器を容易に脱着操作することができる。
【００１０】
また、収納ケースの上側開口部から取り出した収納袋内の投入物を破棄する場合には、把持姿勢にある把持部材を非把持姿勢に切換操作すると、この切換操作に連動する連動連結手段により容器と装着枠体との係合連結が解除されるので、容器の上側開口端部から装着枠体を簡単に取り外すことができ、投入物を収納袋と一緒に破棄することができる。
【００１１】
従って、収納袋を装着してある容器の脱着操作を、容器の上側開口端部に嵌合装着した装着枠体を押え付けることなく、また、収納ケースの上側開口周縁に引っ掛かることの少ない状態で迅速・容易に行うことができる。
【００１２】
また、前記把持部材が、前記装着枠体の中心位置を挟んで相対向する部位に起伏揺動自在に枢着された把手から構成されていてもよい。
【００１３】
上記構成によれば、前記容器を収納ケース内に装着する又は収納ケース内の容器を取り出す際、前記装着枠体に枢着されている把手を把持姿勢に起立揺動させるだけで、この起立揺動に連動する連動連結手段により容器と装着枠体とが係合連結され、しかも、前記把手が装着枠体の中心位置を挟んで相対向する部位に枢着されているので、収納ケースの上側開口部に対して、一体状態にある容器と装着枠体とを安定的に吊り下げ支持した状態で容易に出し入れ操作することができる。
【００１４】
また、前記把持部材が、前記装着枠体に枢着された該装着枠体の開口を開閉する蓋体から構成されていてもよい。
【００１５】
上記構成によれば、前記容器を収納ケース内に装着する又は収納ケース内の容器を取り出す際、前記装着枠体の開口を開閉する蓋体を開き揺動させ、且つその状態で蓋体を把持することにより、この開き揺動に連動する連動連結手段により容器と装着枠体とが係合連結され、収納ケースの上側開口部に対して、一体状態にある容器と装着枠体とを吊り下げ支持した状態で容易に出し入れ操作することができる。
【００１６】
また、前記連動連結手段が、前記把持部材に設けられた係止部と容器に設けられた被係止部とから構成されていてもよい。
【００１７】
上記構成によれば、前記把持部材に設けられた係止部が容器に設けられた被係止部に対して直接的に係脱するから、連動連結手段の構造の簡素化を図ることができる。
【００１８】
また、前記連動連結手段が、容器に設けられた被係止部と、該被係止部に対して係脱自在で、且つ把持姿勢に切り替えられる把持部材と当接して係合作動される状態で装着枠体に設けられた係止部と、該係止部を係合解除側に移動付勢する付勢体から構成されていてもよい。
【００１９】
上記構成によれば、前記容器を収納ケース内に装着する又は収納ケース内の容器を取り出す際、前記把持部材を非把持姿勢から把持姿勢に切換操作すると、装着枠体に設けられた係止部が、把持姿勢に切り替えられる把持部材と当接して付勢体の付勢力に抗して係合作動され、収納ケースの上側開口部に対して、一体状態にある容器と装着枠体とを吊り下げ支持した状態で容易に出し入れ操作することができる。しかも、前記係止部の係合作動ストロークを把持部材の作動ストロークよりも小に設定することが可能で、把持部材とは別体に構成しながらも連動連結手段のコンパクト化を図り易い。
本発明の収納箱による第１の特徴構成は、収納ケースの上側開口部を通して脱着自在に装着される上側開口の容器に、これの開口端部に対して脱着自在に嵌合装着可能で、且つその嵌合装着時に容器内に装着された収納袋の開口周縁部分を該容器の外面に沿って折り返された状態に維持する環状又は略環状の装着枠体が設けられているとともに、前記装着枠体には、把持可能な姿勢と非把持姿勢とに切換自在な把持部材と、該把持部材の把持姿勢への切換に連動して前記容器と装着枠体と係合連結し、且つ前記把持部材の非把持姿勢への切換に連動して前記容器と装着枠体との係合連結を解除する連動連結手段が設けられ、前記連動連結手段が、前記把持部材に設けられた係止部としての爪と前記容器に設けられた被係止部とから構成され、前記把持部材の把持姿勢への切換に連動して前記把持部材の爪が前記容器の被係止部に引っ掛かって前記容器を把持姿勢の把持部材で吊下げ支持可能に構成されている点にある。
本発明の収納箱による第２の特徴構成は、前記把持部材が、前記装着枠体の中心位置を挟んで相対向する部位に起伏揺動自在に枢着された把手から構成され、前記連動連結手段が、前記把手の把持姿勢への切換に連動して前記容器と装着枠体と係合連結し、且つ前記把手の非把持姿勢への切換に連動して前記容器と装着枠体との係合連結を解除するように構成されている点にある。
本発明の収納箱による第３の特徴構成は、前記把持部材が、前記装着枠体に枢着された該装着枠体の開口を開閉する蓋体から構成され、前記連動連結手段が、前記蓋体の把持姿勢である開き姿勢への切換に連動して前記容器と装着枠体と係合連結し、且つ前記蓋体の非把持姿勢である閉じ姿勢への切換に連動して前記容器と装着枠体との係合連結を解除するように構成されている点にある。
【００２０】
本発明の収納箱による第４の特徴構成は、前記装着枠体が、容器の内周面に沿って入り込む内側環状枠板と、容器の外周面に沿って外套される外側環状枠板とを備え、前記両環状枠板間には、前記把持部材を非把持姿勢で収納する凹部が形成されている点にある。
【００２１】
上記特徴構成によれば、前記装着枠体の内側環状枠板と外側環状枠板とにより、容器内に装着された収納袋の開口周縁部分を該容器の上側開口端部における内周面及び外周面に効果的に押えることができるとともに、前記両環状枠板間の空間を利用して形成された凹部内に非把持姿勢の把持部材を体裁良くコンパクトに収納することができる。
【００２２】
本発明の収納箱による第５の特徴構成は、前記装着枠体の外側環状枠板に、前記収納ケースの内面と容器の外面との間に入り込むことにより、前記容器に装着された収納袋の開口周縁部分を容器の外面に沿って折り返し状態で押え付ける筒状の袋押え板部が形成され、この袋押え板部の各角部側壁部の最大上下幅が、角部側壁部の隣接間の中間壁部の上下幅よりも大に構成されている点にある。
上記特徴構成によれば、装着枠体の外側環状枠板に形成されている筒状の袋押え板部を、収納ケースの内面と容器の外面との間に入り込ませることにより、容器に装着された収納袋の開口周縁部分を折り返し状態で押え付けることができる。
【００２３】
しかも、前記袋押え板部の各角部側壁部の最大上下幅が、角部側壁部の隣接間の中間壁部の上下幅よりも大に構成されているので、角部側壁部が先行して収納ケースの内面と容器の外面との間に入り込むことになり、前記袋押え板部の軽量化を図りながら容器に装着された収納袋の開口周縁部分を偏りの少ない状態でスムーズに折り返すことができる。
【発明を実施するための最良の形態】
【００２４】
〔第１実施形態〕
図１〜図１４は、収納箱の一例で、トイレ用として使用される清掃具ケースを示し、短辺側の側面及び長辺側の側面が共に外方側に少し湾曲した直方体に近い形状に成形された収納ケースＡの下半部に、それの前面板１Ａから左右の両側面板１Ｂの一部に回り込む状態で開口形成された下側開口部３を通して清掃具（洗浄ブラシ等）４のブラシ部（清掃部の一例）４Ａを脱着自在に収納する下側収納空間Ｓ１が形成されているとともに、前記収納ケースＡの上半部には、それの上面全体が開口形成された上側開口部５を通して上方開口の角型の容器６を脱着自在に収納する上側収納空間Ｓ２が形成されている。
【００２５】
前記下側開口部３を開閉する合成樹脂製の蓋体７の下部には、図２〜図５に示すように、清掃具４のブラシ部４Ａから滴下する液体を受止め可能な受液部８が設けられ、前記蓋体７の上部には、該蓋体７を脱着操作するための平面視略Ｕの字状の把手９と、前記清掃具４の柄４Ｂを前後方向及び左右方向の移動を規制し且つ吊下げ状態で脱着自在に係止保持する係止保持手段１０が設けられている。
【００２６】
前記収納ケースＡの上側開口部５には、図５〜図１４に示すように、水平軸芯周りで上下方向に揺動開閉自在な第２蓋体１２を備えた環状の装着枠体１３が脱着自在に設けられ、この装着枠体１３には、前記収納ケースＡの内面と容器６の外面との間に入り込むことにより、前記容器６に装着された収納袋１４の開口周縁部分１４ａを折り返し状態で押え付ける筒状の袋押え部である袋押え板部１５が一体形成されている。
【００２７】
そして、図１３、図１４に示すように、前記容器６内に装着された収納袋１４の開口周縁部分１４ａを該容器６の上側開口端部に沿って断面略Ｕ字状に折り返し、この状態で容器６の開口端部に対して環状の装着枠体１３を嵌合装着することにより、収納袋１４が容器６内にずり落ちたり、収納袋１４の開口周縁部分が容器６外方に脹れ出すことを抑制することができる。
【００２８】
前記収納ケースＡは、図１、図２、図５に示すように、前記下側開口部３と上側開口部５とを備え、且つ下方にも開口する合成樹脂製のケース本体１と、該ケース本体１の下部に対して着脱自在に嵌合装着される合成樹脂製の底部材２から構成されているとともに、前記ケース本体１内には、下側収納空間Ｓ１と上側収納空間Ｓ２とに区画する仕切り壁１Ｄが形成され、更に、前記前面板１Ａには、蓋体７を閉止姿勢にしたとき、該蓋体７の係止保持手段１０に係止保持されている清掃具４の柄４Ｂが前方から入り込む凹部１１が形成されている。
【００２９】
前記仕切り壁１Ｄには、図５に示すように、下側収納空間Ｓ１と上側収納空間Ｓ２とを連通する第１換気孔１６が形成されているとともに、前記ケース本体１の後面板１Ｃには、下側収納空間Ｓ１と外部とを連通する第２換気孔１７が形成されている。
【００３０】
前記ケース本体１の下側開口部３における下部立ち上り壁１Ｅには、図２に示すように、前記蓋体７の下端面７ａに当接する載置面１ａが形成され、この載置面１ａの前端側の左右中央位置には、前記蓋体７の下端面７ａに突設された板状の係合部１８が上下方向から抜き差し自在で、かつ、その係合部１８の差し込み部位を支点として揺動開閉自在に支持する長方形状の係合孔（係合受け部の一例）１９と、平面視において弧状に湾曲する前記蓋体７の前面板７Ａにおける下端の開閉移動を許容する、換言すれば、前記蓋体７の前面板７Ａにおける下端の開閉移動軌跡と干渉しない為の前下がり傾斜の傾斜面１ｄが形成されている。
尚、前記傾斜面１ｄを、蓋体７の前面板７Ａにおける下端との当接により該蓋体７を最大開き位置に保持する規制面に構成してもよい。
【００３１】
前記収納ケース１の下側開口部３における両側面板１Ｂの前端には、左右方向での対向間隔Ｗ１が前記蓋体７の受液部８の左右方向幅Ｗよりも狭く設定してあるフランジ部１Ｆが一体形成され、この両フランジ部１Ｆの下半側には、前記受液部８の抜き差しを許容するべく、左右方向での対向間隔Ｗ２が蓋体７の受液部８の左右方向幅Ｗよりも大となる切欠き部１ｂが形成されている。
【００３２】
前記切欠き部１ｂの高さは、図２、図５に示すように、前記蓋体７が係合部１８の差し込み部位を支点として開き揺動したとき、前記切欠き部１ｂの上端となるフランジ部１Ｆの中間段差個所１ｆに前記受液部８の上端縁が当接して、前記蓋体７を最大開き位置に保持可能な高さに設定されている。
【００３３】
前記蓋体７は、図３、図４に示すように、前面板７Ａと左右の側面板７Ｂとを平面視略コの字状に一体形成してあり、この前面板７Ａと両側面板７Ｂとの下端部に亘って、前記下端面７ａが略Ｕの字状に表れる状態で前記受液部８が一体形成されているとともに、前記受液部８の下面８ａと係合部１８の下端とを同一高さ位置に設定して、この受液部８の下面８ａと係合部１８が、前記蓋体７の係止保持手段１０に係止保持されている清掃具４の柄４Ｂが鉛直又は略鉛直方向に向く状態で蓋体７を自立させる脚部に構成されている。
【００３４】
そして、前記収納ケースＡの係合孔１９から係合部１８を引抜いて分離された蓋体７を載置すると、この蓋体７は、それに一体形成されている受液部８の下面８ａと係合部１８の下端とが脚部として接地し、その状態では蓋体７の係止保持手段１０に係止保持されている清掃具４の柄４Ｂが鉛直又は略鉛直方向に向く姿勢となり、清掃具４の重心が受液部８の下面８ａと係合部１８の下端との間に位置するため、清掃具４の柄４Ｂを装着した状態でも安定的に自立させることができる。
【００３５】
しかも、前記蓋体７に設けられた把手９により、清掃具４を係止保持させたまま蓋体７の脱着操作を簡便に行うことができるばかりでなく、本来の設置個所にある清掃具ケースＡから清掃個所まで容易に持ち運ぶことができ、さらに、その持ち運び途中や載置時において振動が作用しても、前記蓋体７の係止保持手段１０に係止保持されている清掃具４の柄４Ｂは、前後方向及び左右方向の移動が規制されているから、蓋体７から清掃具４が脱落することを抑制することができる。
【００３６】
前記係止保持手段１０は、図２〜図４に示すように、蓋体７の前面板７Ａにおける内側面の上端に、清掃具４の柄４Ｂを構成する小幅の柄本体４ａとこれに外嵌したグリップ部４ｂとの間での段差部４ｃを受止め可能な一対の係止受け片１０ａを内方に向って一体的に突出形成するとともに、前記係止受け片１０ａには、受止められた柄４Ｂの左右方向での移動を接当規制する第１規制片１０ｂと、受止められた柄４Ｂの後方側への移動を接当規制する第２規制片１０ｃとが一体形成されている。
【００３７】
前記蓋体７の前面板７Ａの内面側には、図３、図４に示すように、把手９の両端を蓋体７に取付ける円筒状の取付け部２１が、前記係止保持手段１０の両係止受け片１０ａよりも下方位置で、かつ、前記係止保持手段１０で吊下げ保持された柄４Ｂの左右の両側脇位置に突設されている。
【００３８】
そして、前記係止保持手段１０に吊下げ状態で係止保持されている清掃具４が持ち運び途中での振動によって揺れ動くことを、前記把手９の両端を蓋体７に取付けるための取付け部２１を利用した合理的な改良で抑制することができる。
【００３９】
前記装着枠体１３は、図２、図５〜図８に示すように、容器６の上側開口端縁６ａに対して上方から着脱自在に嵌合する嵌合溝１３Ｄを形成する状態で一体成形される外側環状枠板１３Ａと内側環状枠板１３Ｂならびに環状天板１３Ｃとからなり、後方の短辺側の枠体部分には、前記第２蓋体１２の一対の取付けアーム１２Ａを枢支ピン２２周りで上下揺動自在に枢着するための取付け凹部１３Ｅが形成されているとともに、前記外側環状枠板１３Ａには前記袋押え板部１５が一体形成されている。
【００４０】
前記装着枠体１３には、図１１〜図１４に示すように、把持可能な姿勢と非把持姿勢とに切換自在な把持部材の一例で、前記装着枠体の中心位置を挟んで左右方向で相対向する部位において前記第２蓋体１２の揺動軸芯と平行な水平軸芯周りで起伏揺動自在に枢着された略コの字状の把手２５と、該把手２５の把持姿勢である起立姿勢への切換に連動して前記容器６と装着枠体１３と係合連結し、且つ前記把手２５の非把持姿勢である倒伏姿勢への切換に連動して前記容器６と装着枠体１３との係合連結を解除する連動連結手段Ｂが設けられている。
【００４１】
図７、図８に示すように、前記装着枠体１３の環状天板１３Ｃの前半側部位を略コの字状に窪み形成して、把手２５を倒伏姿勢で収納（格納）する凹部２６が形成され、この凹部２６を形成する内側環状枠板１３Ｂと把手２５の基端部との相対向する部位には、水平軸芯周りで起伏揺動自在に嵌合する枢支孔２７とピン状の枢支突起２８が形成されているとともに、前記把手２５における起伏揺動軸芯と平行な把持部分２５Ａの中央位置には、図９、図１０に示すように、凹部２６内の把手２５を指先でお越し操作するための指掛け突起２９が形成され、この指掛け突起２９に対応する装着枠体１３の前方の短辺側の枠体部分には、指掛け突起２９に対する操作用の空間を現出する傾斜面１３Ｆが形成されている。
【００４２】
前記連動連結手段Ｂが、前記容器６の両側面板６Ｃの外面上部における前後中央位置に突出形成された被係止部の一例である柱状の係止突起３０と、該係止突起３０に対して係脱可能な状態で把手２５の両基端部２５Ｂに一体形成された係止部の一例であるＬ字状の係止爪３１とから構成されているとともに、前記環状天板１３Ｃの前半側部位には、把手２５の起伏揺動に伴う前記係止爪３１の係脱揺動を許す開口３２が形成されている。
【００４３】
そして、図１２、図１４に示すように、前記容器６の上側開口端部に装着枠体１３を嵌合装着した状態で、この装着枠体１３に設けられている把手２５を非把持姿勢である倒伏姿勢から把持姿勢である起立姿勢に切換操作すると、この切換操作Ｆに連動する連動連結手段Ｂの係止爪３１が容器６の両側面板６Ｃに形成されている係止突起３０に係合して、容器６と装着枠体１３とが係合連結されるので、収納ケースＡの上側開口部５に対して、起立姿勢にある把手２５を把持して容器６と装着枠体１３とを一体化状態で出し入れすることができる。
【００４４】
それ故に、容器６を保持しながら装着枠体１３が脱落しないように押え付ける必要がなく、さらに、容器６から突出する起立姿勢にある把手２５を把持して操作するので、収納ケースＡの上側開口部５における内面と容器６の上側開口端部における外面との間の環状間隙が小さい場合でも、容器６を容易に脱着操作することができる。
【００４５】
また、図１３、図１４に示すように、前記袋押え板部１５の各角部側壁部１５Ａの最大上下幅Ｈが、角部側壁部１５Ａの隣接間に位置する両長辺側中間壁部１５Ｂの上下幅及び両短辺側中間壁部１５Ｃの上下幅よりも大に構成されているとともに、前記角部側壁部１５Ａのうち、角相当位置Ｐから両長辺側中間壁部１５Ｂ側に偏倚した部位１５ａが最大上下幅Ｈに構成されている。
【００４６】
前記装着枠体１３に形成されている筒状の袋押え部１５を、ケース本体１の内面と該ケース本体１の仕切り壁１Ｄに載置されている容器６の外面との間に入り込ませて、容器６に装着された収納袋１４の開口周縁部分１４ａを折り返し状態で押え付ける際、前記袋押え板部１５の各角部側壁部１５Ａの最大上下幅Ｈが、角部側壁部１５Ａの隣接間の長辺側中間壁部１５Ｂの上下幅及び両短辺側中間壁部１５Ｃの上下幅よりも大に構成されているので、角部側壁部１５Ａが先行してケース本体１の内面と容器６の外面との間に入り込むことになり、前記袋押え板部１５の軽量化を図りながら容器６に装着された収納袋１４の開口周縁部分１４ａを偏りの少ない状態でスムーズに折り返すことができる。
【００４７】
しかも、前記角部側壁部１５Ａの角相当位置Ｐから両長辺側中間壁部１５Ｂ側に偏倚した部位１５ａが最大上下幅Ｈに構成されているが故に、前記装着枠体１３の筒状の袋押え板部１５をケース本体１の内面と容器６の外面との間に入り込ませる初期段階において、この袋押え板部１５の各角部側壁部１５Ａにおける長辺側部位１５ａと短辺側部位１５ｂとの二面が同時に作用することがなく、前記装着枠体１３に一体形成された袋押え板部１５の装着操作の容易化を図ることができる。
【００４８】
また、図１２〜図１４に示すように、前記各角部側壁部１５Ａの短辺側部位１５ｂにおける下端縁は、最大上下幅Ｈとなる長辺側部位１５ａの下端縁に対してこれよりも小なる上下幅で弧状に連続形成されているとともに、前記各角部側壁部１５Ａの短辺側部位１５ｂにおける下端縁と前記短辺側中間壁部１５Ｃの最小上下幅となる部位の下端縁との間が、短辺側中間壁部１５Ｃ側ほど上方に位置する傾斜端縁に形成され、更に、前記各角部側壁部１５Ａの長辺側部位１５ａにおける下端縁と長辺側中間壁部１５Ｂの最小上下幅となる部位の下端縁との間が、長辺側中間壁部１５Ｂ側ほど上方に位置する弧状縁に構成されている。
【００４９】
前記容器６の前面板６Ａには、ケース本体１の凹部１１の内面側に対して上方から外套可能な凹部６Ｂが形成されている。
【００５０】
〔第２実施形態〕
上述の第１実施形態では、把持可能な姿勢と非把持姿勢とに切換自在な把持部材を、前記装着枠体１３に起伏揺動自在に枢着された把手２５から構成し、さらに、前記連動連結手段Ｂを、前記容器６の両側面板６Ｃの外面上部における前後中央位置に突出形成された被係止部の一例である円柱状の係止突起３０と、該係止突起３０に対して係脱可能な状態で把手２５の両基端部２５Ｂに一体形成された係止部の一例であるＬ字状の係止爪３１とから構成したが、図１５に示すように、前記把持部材を、前記装着枠体１３に起伏揺動自在に枢着されている第２蓋体１２をもって兼用構成するとともに、前記連動連結手段Ｂを、容器６に設けられた被係止部の一例である係止孔３５と、該係止孔３５に対して係脱揺動自在で、且つ開き姿勢である起立姿勢（把持姿勢）に切り替えられる第２蓋体１２と当接して係合作動される状態で装着枠体１３に枢着された係止部の一例である揺動爪３６と、該揺動爪３６を係合解除側に移動付勢する付勢体の一例である捻りコイルスプリング３７から構成してもよい。
【００５１】
そして、閉じ姿勢にある第２蓋体１２を把持して開き姿勢に起立揺動させると、この第２蓋体１２の基端部が係合解除状態にある揺動爪３６の上端部に当接し、揺動爪３６が捻りコイルスプリング３７の弾性付勢力に抗して揺動され、揺動爪３６の先端部が容器６の係止孔３５に係合し、容器６と装着枠体１３とが係合連結される。この状態で把持部材を兼ねる第２蓋体１２を持ち上げると、係合連結された容器６と装着枠体１３とを収納ケースＡから抜き出すことができる。
【００５２】
尚、その他の構成は、第１実施形態で説明した構成と同一であるから、同一の構成箇所には、第１実施形態と同一の番号を付記してそれの説明は省略する。
また、上述の第２実施形態では、前記付勢体としてコイルスプリング３７等の弾性付勢体を用いたが、前記揺動爪３６に付設した錘又は該揺動爪３６自体の重量を利用して、この揺動爪３６を係合解除側に移動付勢してもよい。
【００５３】
〔その他の実施形態〕
（１）上述の第１実施形態では、清掃具４の清掃部４Ａとして、多数のブラシ毛を備えたブラシ部を例に挙げて説明したが、この清掃部４Ａとしてはスポンジや布等であってもよく、また、交換可能な使い捨てタイプの清掃部４Ａであってもよい。
【００５４】
（２）上述の第１実施形態では、汚物等を収納可能な容器６を脱着自在に備えた清掃具ケースＡを例に挙げて説明したが、ゴミ箱等の他の収納箱であってもよい。
【００５５】
（３）上述の第１実施形態では、前記下側開口部３を開閉する合成樹脂製の蓋体７の下部に、清掃具４のブラシ部４Ａから滴下する液体を受止め可能な受液部８を一体形成したが、この蓋体７と受液部８とを別体で結成して接着剤やビス等の適宜手段で固着してもよい。
【００５６】
（４）上述の第１実施形態では、前記蓋体７の底面に一つの係合部１８を突設したが、この係合部１８と係合孔１９との差し込み部位を支点として揺動開閉自在に支持することのできる状態であれば、前記係合部１８を複数個形成してもよい。
【００５７】
（５）上述の第１実施形態では、前記係合部１８を板状に形成し、前記係合受け部１９を係合孔から構成したが、この係合部１８及び係合受け部１９としては、抜き差し自在で、かつ、その差し込み部位を支点として蓋体７を揺動開閉自在に支持することのできるものであれば、如何なる構造に構成してもよい。
【００５８】
（６）上述の第１実施形態では、前記受液部８の下面８ａ全体を平滑面に形成したが、この下面８ａを凹凸状に形成して実施してもよい。
要するに、前記受液部８の下面８の形状としては、前記係合部１８との協働により、前記蓋体７の係止保持手段１０に係止保持されている清掃具４の柄４Ｂが鉛直又は略鉛直方向に向く状態で蓋体７を自立させることのできるものであれば、如何なる形状に構成してもよい。
【００５９】
（７）上述の第１実施形態では、前記蓋体７の上部に、該蓋体７を脱着操作するための平面視略Ｕの字状の把手９を取付けたが、この把手９としては、蓋体７を脱着操作することのできるものであれば、蓋体７の一部を利用して兼用構成してもよい。
【００６０】
（８）上述の各実施形態では、容器６の開口端部に対して脱着自在に嵌合装着可能で、且つその嵌合装着時に容器６内に装着された収納袋１４の開口周縁部分１４ａを該容器６の外面に沿って折り返された状態に維持する装着枠体１３を環状枠体に構成したが、その環状方向の一箇所が切断されたＣ字等の略環状枠体に構成してもよい。
【００６１】
（９）上述の各実施形態では、前記装着枠体１３に設けられる把持部材として起伏揺動自在な把手９又は揺動開閉自在な蓋体１２から構成したが、把持部材としては上下方向に出し入れ移動自在なものであってもよい。
要するに、前記把持部材としては、把持可能な姿勢と非把持姿勢とに切換自在なものであれば、如何なる構造に構成してもよい。
（１０）前記連動連結手段Ｂとしては、把持部材の把持姿勢への切換に連動して前記容器６と装着枠体１３と係合連結し、且つ前記把持部材の非把持姿勢への切換に連動して前記容器６と装着枠体１３との係合連結を解除することのできるものであれば、如何なる構造に構成してもよい。
【図面の簡単な説明】
【００６２】
【図１】本発明の清掃具ケースの第１実施形態を示す全体の斜視図
【図２】全体の分解斜視図
【図３】清掃具を係止保持する蓋体を自立させたときの断面側面図
【図４】清掃具を係止保持する蓋体を自立させたときの要部の斜視図
【図５】蓋体を開き揺動させたときの一部省略断面側面図
【図６】容器の平面図
【図７】装着枠体の平面図
【図８】図７のＶＩＩＩ−ＶＩＩＩ線断面図
【図９】把手の平面図
【図１０】把手の一部切欠き側面図
【図１１】蓋体を閉じた状態での要部の拡大断面背面図
【図１２】蓋体を開いた状態で把手を起立させたときの要部の拡大断面側面図
【図１３】容器と装着枠体の分解断面側面図
【図１４】収納ケースから容器及び装着枠体を少し引き出したときの要部の斜視図
【図１５】本発明の清掃具ケースの第２実施形態の連動連結手段Ｂを示す非把持操作時（ａ）と把持操作時（ｂ）の拡大断面側面図
【符号の説明】
【００６３】
Ａ        収納ケース
Ｂ        連動連結手段
５        上側開口部
６        容器
１２      把持部材（蓋体）
１３      装着枠体
１３Ａ    外側環状枠板
１３Ｂ    内側環状枠板
１４      収納袋
１５      袋押え板部
１５Ａ    角部側壁部
１５Ｂ    中間壁部（長辺側中間壁部）
１５Ｃ    中間壁部（短辺側中間壁部）
２５      把持部材（把手）
２６      凹部
３０      被係止部（係止突起）
３１      係止部（係止爪）
３５      被係止部（係止孔）
３６      係止部（揺動爪）
３７      付勢体（コイルスプリング）
【図１】
0005236298.tif 000002
【図２】
0005236298.tif 000003
【図３】
0005236298.tif 000004
【図４】
0005236298.tif 000005
【図５】
0005236298.tif 000006
【図６】
0005236298.tif 000007
【図７】
0005236298.tif 000008
【図８】
0005236298.tif 000009
【図９】
0005236298.tif 000010
【図１０】
0005236298.tif 000011
【図１１】
0005236298.tif 000012
【図１２】
0005236298.tif 000013
【図１３】
0005236298.tif 000014
【図１４】
0005236298.tif 000015
【図１５】
0005236298.tif 000016